【手続補正書】
【提出日】平成26年2月17日(2014.2.17)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】０００１
【補正方法】変更
【補正の内容】
【０００１】
本発明は、画像の撮影シーンを判定する画像処理装置、画像処理方法及びプログラムに関する。
【手続補正３】
【補正対象書類名】明細書
【補正対象項目名】０００６
【補正方法】変更
【補正の内容】
【０００６】
上述した課題を解決するために本発明の一つの態様は、
画像に基づいてその画像の撮影シーンが夕景又は朝景の撮影シーンであるか否かを判定する画像処理装置であって、
前記画像全体を複数の画像領域に分割する画像分割手段と、
前記画像分割手段により分割された画像領域毎に、異なる要素に基づいて夕景又朝景の撮影シーンであるか否かを画像領域毎に判定する個別判定手段と、
前記個別判定手段により画像領域毎に判定された判定結果を総合し、その総合結果に基づいて前記画像全体が夕景又は朝景の撮影シーンであるか否かを判定する総合判定手段と、
を備えたことを特徴とする画像処理装置である。
上述した課題を解決するために本発明の他の態様は、
する画像処理方法であって、
前記画像全体を複数の画像領域に分割する画像分割ステップと、
前記画像分割ステップにより分割された画像領域毎に、異なる要素に基づいて夕景又朝景の撮影シーンであるか否かを画像領域毎に判定する個別判定ステップと、
前記個別判定ステップにより画像領域毎に判定された判定結果を総合し、その総合結果に基づいて前記画像全体が夕景又は朝景の撮影シーンであるか否かを判定する総合判定ステップと、
を含むことを特徴とする画像処理方法である。
【手続補正４】
【補正対象書類名】明細書
【補正対象項目名】０００７
【補正方法】変更
【補正の内容】
【０００７】
上述した課題を解決するために本発明の他の態様は、
コンピュータに対して、
画像全体を複数の画像領域に分割する機能と、
前記分割された画像領域毎に、異なる要素に基づいて夕景又は朝景の撮影シーンであるか否かを画像領域毎に判定する機能と、
前記画像領域毎に判定された判定結果を総合し、その総合結果に基づいて前記画像全体が夕景又は朝景の撮影シーンであるか否かを判定する機能と、
を実現させるためのプログラムである。
【手続補正５】
【補正対象書類名】特許請求の範囲
【補正対象項目名】全文
【補正方法】変更
【補正の内容】
【特許請求の範囲】
【請求項１】
画像に基づいてその画像の撮影シーンが夕景又は朝景の撮影シーンであるか否かを判定する画像処理装置であって、
前記画像全体を複数の画像領域に分割する画像分割手段と、
前記画像分割手段により分割された画像領域毎に、異なる要素に基づいて夕景又朝景の撮影シーンであるか否かを画像領域毎に判定する個別判定手段と、
前記個別判定手段により画像領域毎に判定された判定結果を総合し、その総合結果に基づいて前記画像全体が夕景又は朝景の撮影シーンであるか否かを判定する総合判定手段と、
を備えたことを特徴とする画像処理装置。
【請求項２】
前記異なる要素は、少なくとも、輝度、或いは色相を含むことを特徴とする、
ようにしたことを特徴とする請求項１記載の画像処理装置。
【請求項３】
前記個別判定手段は、前記画像分割手段により分割された画像領域毎に、所定の範囲における画像全体に対する異なる要素の値の割合を算出し、その割合に基づいて夕景又は朝景の撮影シーンであるか否かを画像領域毎に判定する、
ようにしたことを特徴とする請求項２記載の画像処理装置。
【請求項４】
前記個別判定手段は、前記画像分割手段により分割された画像領域毎に、異なる要素の値が、画像全体に対して所定の閾値以上であるか否かを判定することで、夕景又朝景の撮影シーンであるか否かを画像領域毎に判定する、
ようにしたことを特徴とする請求項３記載の画像処理装置。
【請求項５】
前記個別判定手段は、前記画像分割手段により画像全体が第一の画像領域、第二の画像領域、及び第三の画像領域の三つの画像領域に分割された場合に、前記第一の画像領域に対しては、前記所定の範囲の輝度が、画像全体に対して所定の閾値以下であるか否かを判定し、前記第二の画像領域に対しては、前記所定の範囲の輝度が、画像全体に対して所定の閾値以上であるか否かを判定し、前記第三の画像領域に対しては、前記所定の範囲の色相が、画像全体に対して所定の閾値以下であるか否かを判定することで、夕景又朝景の撮影シーンであるか否かを画像領域毎に判定する、
ようにしたことを特徴とする請求項４記載の画像処理装置。
【請求項６】
前記輝度或いは色相の分布はヒストグラムを生成することにより行われる、
ことを特徴とする請求項２〜５のいずれかに記載の画像処理装置。
【請求項７】
前記個別判定手段は、前記画像分割手段により画像全体が第一の画像領域、第二の画像領域、及び第三の画像領域の三つの画像領域に分割された場合に、前記第一の画像領域に対しては、輝度のヒストグラムにおける１番目のビンの度数が、該ヒストグラム全体の積分値に対して所定の閾値以下であるか否かを判定し、前記第二の画像領域に対しては、輝度のヒストグラムにおける１番目のビンの度数が、該ヒストグラム全体の積分値に対して所定の閾値以上であるか否かを判定し、前記第三の画像領域に対しては、色相のヒストグラムにおける１番目のビンの度数が、該ヒストグラム全体の積分値に対して所定の閾値以下であるか否かを判定することで、夕景又朝景の撮影シーンであるか否かを画像領域毎に判定する、
ようにしたことを特徴とする請求項６記載の画像処理装置。
【請求項８】
重力方向に対する当該画像処理装置の向きを検出する向き検出手段を更に備え、
前記画像分割手段は、前記向き検出手段により検出された当該画像処理装置の向きに基づいて前記画像全体を複数の画像領域に分割する、
ようにしたことを特徴とする請求項２〜７のいずれかに記載の画像処理装置。
【請求項９】
前記画像分割手段は、前記向き検出手段により検出された当該画像処理装置の向きに基づいて前記画像の天地の方向を特定し、天方向の画像領域と、地方向の画像領域と、それらの中間の画像領域との三つの画像領域に前記画像全体を分割し、
前記第一の画像領域は前記天方向の画像領域であり、前記第二の画像領域は前記地方向の画像領域であり、第三の画像領域は前記中間の画像領域である、
ようにしたことを特徴とする請求項８記載の画像処理装置。
【請求項１０】
前記個別判定手段は、前記分割された画像領域毎に個別判定を行う場合に、前記画像の輝度に応じて変動する閾値を使用してその判定を行う、
ようにしたことを特徴とする請求項２〜９記載の画像処理装置。
【請求項１１】
前記撮像部から画像を取り込んだ際の受光量を検出する受光量検出手段と、
前記夕景又は朝景の撮影シーンであるか否かを判定する処理を実行するに先立って、前記受光量検出手段により検出された受光量が所定量以下の場合には夕景又は朝景の撮影シーンではないと判定する受光量判定手段と、
を更に備える、
ようにしたことを特徴とする請求項１〜１０のいずれかに記載の画像処理装置。
【請求項１２】
前記夕景又は朝景の撮影シーンであるか否かを判定する処理を実行するに先立って、前記画像の全体に対して赤黄系画素が含まれている割合が所定量以下の場合には夕景又は朝景の撮影シーンではないと判定する黄赤系画素判定手段と、
を更に備える、
ようにしたことを特徴とする請求項１〜１１のいずれかに記載の画像処理装置。
【請求項１３】
現在時刻を計時する計時手段を更に備え、
前記総合判定手段は、前記計時手段により計時された時刻に基づいて、夕景の撮影シーンであるか朝景の撮影シーンであるかを判定する、
ようにしたことを特徴とする請求項１〜１２のいずれかに記載の画像処理装置。
【請求項１４】
前記総合判定手段により夕景の撮影シーンであるか朝景の撮影シーンであるかが判定された場合に、その判定結果に応じた識別データを前記表示部に表示させる表示制御手段を更に備える、
ようにしたことを特徴とする請求項１３記載の画像処理装置。
【請求項１５】
前記総合判定手段により夕景又は朝景の撮影シーンであると判定された際に、その撮影シーンに合った撮影条件を設定する撮影制御手段を更に備える、
ようにしたことを特徴とする請求項１〜１４のいずれかに記載の画像処理装置。
【請求項１６】
前記画像は当該画像処理装置が備える撮像部から取り込んだスルー画像である、
ことを特徴とする請求項１〜１５のいずれかに記載の画像処理装置。
【請求項１７】
前記画像は撮像済み画像である、
ことを特徴とする請求項１〜１５のいずれかに記載の画像処理装置。
【請求項１８】
画像に基づいてその画像の撮影シーンが夕景又は朝景の撮影シーンであるか否かを判定する画像処理方法であって、
前記画像全体を複数の画像領域に分割する画像分割ステップと、
前記画像分割ステップにより分割された画像領域毎に、異なる要素に基づいて夕景又朝景の撮影シーンであるか否かを画像領域毎に判定する個別判定ステップと、
前記個別判定ステップにより画像領域毎に判定された判定結果を総合し、その総合結果に基づいて前記画像全体が夕景又は朝景の撮影シーンであるか否かを判定する総合判定ステップと、
を含むことを特徴とする画像処理方法。
【請求項１９】
コンピュータに対して、
画像全体を複数の画像領域に分割する機能と、
前記分割された画像領域毎に、異なる要素に基づいて夕景又は朝景の撮影シーンであるか否かを画像領域毎に判定する機能と、
前記画像領域毎に判定された判定結果を総合し、その総合結果に基づいて前記画像全体が夕景又は朝景の撮影シーンであるか否かを判定する機能と、
を実現させるためのプログラム。